(57)【要約】【課題】複数の測定器の構成状況を把握して集中管理し、必要に応じて所望の測定器のリソースを容易に整える。【解決手段】管理装置側操作部２から試験と該試験を行う測定器１０を選択し、選択された測定器１０個々とネットワークを介して取得する測定器２０の識別情報と測定器リソース情報とを関連付けた最新の測定器リソース情報一覧と、試験と試験の実現に必要なリソース種別情報とこのリソース種別情報毎のバージョン情報とを関連付けた試験項目対応情報一覧とを照合して選択された試験を実行するのに不足するリソースを検出する。そして、検出された不足リソースが電子情報として送信可能なリソースの場合は、そのリソースに関連する試験用不足情報を該当する測定器１０に対して送信する。【選択図】図１
2008160431.tif 000002
【特許請求の範囲】
【請求項１】
個々を特定可能な識別情報を有する複数の測定器（１０）が接続されたネットワークに接続され、被試験対象に対する試験を行うために前記複数の測定器個々に組み込まれたリソースのリソース種別情報とそのバージョン情報とを含む測定器リソース情報を管理する測定器管理装置（１）であって、
前記複数の測定器個々とネットワークを介して通信を行う管理装置側データ通信部（６）と、
前記複数の測定器の中からの測定器の選択と、前記測定器が行う試験の選択とを行うための管理装置側操作部（２）と、
前記測定器から前記ネットワークを介して取得する該測定器の識別情報と測定器リソース情報とに基づいて前記測定器個々の識別情報と測定器リソース情報とを関連付けた最新の測定器リソース情報一覧を記憶する測定器リソース情報一覧テーブル（３ａ）と、前記管理装置側操作部で選択可能な試験と該試験の実現に必要なリソース種別情報と該リソース種別情報ごとのバージョン情報とを関連付けた試験項目対応情報一覧を記憶する試験項目対応情報一覧テーブル（３ｂ）と、前記測定器が実装可能なリソースのうち前記ネットワークを介して電子情報として送信可能なリソースを少なくとも含む試験用不足情報を記憶する試験用不足情報記憶手段（３ｄ）とを有する管理装置側記憶部（３）と、
前記管理装置側操作部で選択された測定器に関連する前記測定器リソース情報一覧テーブルの最新の測定器リソース情報と、前記試験項目対応情報一覧テーブルに記憶された試験項目対応情報一覧とを照合して前記管理装置側操作部で選択された試験を実現するのに不足するリソースを検出し、該検出されたリソースに関連する試験用不足情報を前記試験用不足情報記憶手段から読み出し、前記リソースの不足が検出された測定器に対して該当する試験用不足情報を送信する管理装置側制御部（４）とを備えたことを特徴とする測定器管理装置。
【請求項２】
前記管理装置側操作部（２）は、所定の試験の実現に必要な試験手順を記述したシナリオ及び該シナリオの送信先となる測定器（１０）を選択可能とし、
また、前記管理装置側記憶部（３）は、前記管理装置側操作部で選択可能な試験の実現に必要な試験手順を記述したシナリオと、該シナリオを実行する際に選択的に用いられるパラメータとを少なくとも関連付けたシナリオ対応情報一覧を記憶するシナリオ対応情報一覧テーブル（３ｃ）を更に有し、
前記試験項目対応情報一覧テーブル（３ｂ）は、前記試験項目対応情報一覧の試験が該試験の実現に必要な試験手順を記述したシナリオとも関連付けて記憶されており、
前記管理装置側制御部（４）は、前記管理装置側操作部で選択されたシナリオ送信先の測定器に関連する前記測定器リソース情報一覧テーブル（３ａ）の最新の測定器リソース情報と、前記試験項目対応情報一覧テーブルのうち前記管理装置側操作部で選択されたシナリオに関連する試験項目対応情報一覧と、前記シナリオ対応情報一覧テーブルのうち前記選択されたシナリオに関連するシナリオ対応情報一覧とを照合して該選択されたシナリオを実行するのに不足するリソースを検出するとともに、該選択されたシナリオが前記シナリオ送信先の測定器で実行可能か否かを判別し、実行可能と判別したときに該選択されたシナリオを前記シナリオ送信先の測定器に送信することを特徴とする請求項１記載の測定器管理装置。
【請求項３】
前記試験用不足情報を管理する管理サーバ（２０）とネットワーク接続され、
前記管理装置側制御部（４）は、前記管理サーバ上の前記試験用不足情報と前記管理装置側記憶部（３）に記憶された試験用不足情報とを比較し、前記管理装置側記憶部に記憶されていない前記試験用不足情報を前記管理サーバ上に検出した場合は、前記管理サーバから前記管理装置側記憶部に記憶されていない前記試験用不足情報をダウンロードして記憶することを特徴とする請求項１又は２記載の測定器管理装置。
【請求項４】
前記試験項目対応情報一覧を前記管理サーバ（２０）から取得することを特徴とする請求項３記載の測定器管理装置。
【請求項５】
前記試験用不足情報は、前記測定器（１０）に実装可能なアプリケーションソウトウェア、ＯＳ、ＦＰＧＡ用データ、ファームウェア、シナリオのうち少なくとも１つを含むことを特徴とする請求項１〜４の何れかに記載の測定器管理装置。
【請求項６】
前記測定器（１０）の試験機能を実現するために組み込まれたリソースは、ＦＰＧＡを搭載したハードウェアユニットを含み、前記試験用不足情報がＦＰＧＡ用データであることを特徴とする請求項１〜５の何れかに記載の測定器管理装置。
【請求項７】
前記管理装置側制御部（４）は、前記不足するリソースがハードウェアである場合に、不足するハードウェアのリソース種別情報及び該不足するハードウェアが余分に実装されている測定器（１０）に関する情報を管理装置側表示部（５）に表示制御することを特徴とする請求項１〜６の何れかに記載の測定器管理装置。
【請求項８】
個々を特定可能な識別情報を有する複数の測定器（１０）が接続されたネットワークに接続され、被試験対象に対する試験を行うために前記複数の測定器個々に組み込まれたリソース種別情報とそのバージョン情報とを含む測定器リソース情報を管理する測定器管理方法であって、
前記測定器から前記ネットワークを介して取得する該測定器の識別情報と測定器リソース情報とに基づいて前記測定器個々の識別情報と測定器リソース情報とを関連付けた最新の測定器リソース情報一覧を測定器リソース情報一覧テーブルとして記憶するステップと、
選択可能な試験と該試験の実現に必要なリソース種別情報と該リソース種別情報ごとのバージョン情報とを関連付けた試験項目対応情報一覧を試験項目対応情報一覧テーブルとして記憶するステップと、
前記測定器が実装可能なリソースのうち前記ネットワークを介して電子情報として送信可能なリソースを少なくとも含む試験用不足情報を記憶するステップと、
選択される測定器に関連する前記測定器リソース情報一覧テーブルの最新の測定器リソース情報と、前記試験項目対応情報一覧テーブルの試験項目対応情報一覧とを照合して、選択される試験を実現するのに不足するリソースを検出するステップと、
前記検出されたリソースに関連する試験用不足情報を前記記憶された試験用不足情報から読み出し、前記リソースの不足が検出された測定器に対して該当する試験用不足情報を送信するステップとを含むことを特徴とする測定器管理方法。
【発明の詳細な説明】
【技術分野】
【０００１】
本発明は、被試験対象となる通信端末（例えば移動体端末や無線端末通信機器など）の評価試験を行う測定器を管理する測定器管理装置に係り、特に実装ユニット、各種設定やソフトウェアの異なる複数の測定器の管理を集中して行う測定器管理装置及び測定器管理方法に関する。
【背景技術】
【０００２】
従来より、例えば移動体端末や無線端末通信機器などの通信端末を被試験対象とし、この通信端末の評価試験を行う測定器としては、例えば特許文献１に開示された通信試験装置が公知である。
【０００３】
特許文献１に開示される通信試験装置は、予め各試験項目とリソースの識別情報を試験項目記憶手段に記憶しておき、管理手段によって管理された実装ユニットなどのリソースをもとに、試験項目決定手段が試験項目記憶手段を参照して、当該実装されているユニットに対応する試験項目を実施可能試験項目と決定し、ユーザインタフェース手段が、該実施可能試験項目を選択可能に識別して表示し、該実施可能試験項目が操作部によって選択された場合は、測定制御手段が該選択された実施可能試験項目に沿って試験を実行している。
【０００４】
また、近年、通信端末の開発は、複数の通信方式への対応やソフトウェアの大規模化・複雑化に伴い、通信端末のテスト項目が増加する傾向にある。このような開発競争の激化に伴い、開発メーカ側は開発した通信端末の品質を高めながら開発期間をできるだけ短くして早期リリースする必要に迫られている。このため、多数の測定器を使って一斉に通信端末をテストする機会が多くなっている。
【特許文献１】特開２００５−３４１４２４号公報
【発明の開示】
【発明が解決しようとする課題】
【０００５】
ところで、特許文献１で用いられる通信試験装置に限らず近年の測定器は、通信端末の試験を行うための複数の通信方式や機能に対応するため、本体となるプラットフォームやハードウェアのユニット、アプリケーションソフトウェアなどのリソース（試験内容に応じて各試験を行うために必要な各種ソフトウェア、ハードウェア、シナリオ、これらの組み合わせによる可変な構成要素）や各リソースのバージョン（版数）を組み合わせて実装することで、所望とする機能を実現している。また、通信方式の機能追加などに伴い、組み合わせやバージョンの違いによって実現される機能（又は実現可能な試験項目）が大きく異なることがある。
【０００６】
さらに、チームを組んで通信端末の開発を行う場合など、例えばチームリーダなどは測定器に実装すべきユニットやソフトウェアを理解出来ているが、実際の作業者はリーダーからの指示通りに作業を行っているため、本来測定器に必要なリソースの実装や設定が行われていない状態のまま誤ったテスト（例えば本来とは異なる試験を実施しているのにも関わらず、正常な試験が行われていると判断してしまうなど）をしてしまう可能性もある。また、上記のような状態で試験を行った場合には、測定器の構成状況（測定器の実装ユニットのバージョン、ソフトウェアバージョン、シナリオなどの各種リソースやパラメータなどの各種設定内容）が本来の構成と異なるので、テスト中などにトラブルが発生した際に測定器と開発している通信端末のどちらに原因があるのかを切り分けるのが難しかった。
【０００７】
そこで、特に多数の測定器を使って通信端末の同一試験をする場合には、全ての測定器において同一試験が行えるような構成状況（測定器の実装ユニットのバージョン、ソフトウェアバージョン、シナリオなどの各種リソースやパラメータなどの各種設定内容）にしておきたいという要求があるが、この要求に応えるに際して、以下のような問題点が挙げられる。
（１）同一試験が行えるように多数の測定器の構成状況を一斉に整える作業が大変である。
（２）開発が遠隔地で分かれて行われているような場合に、各地にある測定器の構成状況を統一化する作業が困難である。
（３）実装されているハードウェアやソフトウェアのライセンス期間の関係によっては、ソフトウェアを揃えることが出来ない場合があるが、そのことをユーザーが全て把握することが難しい場合がある。
（４）実装されるソフトウェアやハードウェアなどに対し、現在実装されているバージョンによっては、バージョンアップ手順が必ずしも同じではないため、ユーザが誤った手順でバージョンアップを行う場合がある。
（５）例えば、「○○試験はソフトウェアバージョンがＶｅｒ．１でもＶｅｒ．２でも試験可能だが、××試験はＶｅｒ．２でないと試験できない」などのインストールされているソフトウェアが選択した試験に適しているのかどうか判断できない場合がある。
（６）試験を行うにあたり、試験を実現するために必要なハードウェアが実装されていない場合に、必要なハードウェアの種類やそのバージョン情報などのハードウェアに関する情報をユーザが把握していない場合がある。
【０００８】
そこで、本発明は上記問題点に鑑みてなされたものであって、複数の測定器のリソースを集中管理して測定器個々の構成状況を把握でき、測定器を直接操作することなく必要に応じて所望の測定器のリソースを容易に整えることができる測定器管理装置及び測定器管理方法を提供することを目的としている。
【課題を解決するための手段】
【０００９】
上記目的を達成するため、本発明の請求項１に記載された測定器管理装置は、個々を特定可能な識別情報を有する複数の測定器１０が接続されたネットワークに接続され、被試験対象に対する試験を行うために前記複数の測定器個々に組み込まれたリソースのリソース種別情報とそのバージョン情報とを含む測定器リソース情報を管理する測定器管理装置１であって、
前記複数の測定器個々とネットワークを介して通信を行う管理装置側データ通信部６と、
前記複数の測定器の中からの測定器の選択と、前記測定器が行う試験の選択とを行うための管理装置側操作部２と、
前記測定器から前記ネットワークを介して取得する該測定器の識別情報と測定器リソース情報とに基づいて前記測定器個々の識別情報と測定器リソース情報とを関連付けた最新の測定器リソース情報一覧を記憶する測定器リソース情報一覧テーブル３ａと、前記管理装置側操作部で選択可能な試験と該試験の実現に必要なリソース種別情報と該リソース種別情報ごとのバージョン情報とを関連付けた試験項目対応情報一覧を記憶する試験項目対応情報一覧テーブル３ｂと、前記測定器が実装可能なリソースのうち前記ネットワークを介して電子情報として送信可能なリソースを少なくとも含む試験用不足情報を記憶する試験用不足情報記憶手段３ｄとを有する管理装置側記憶部３と、
前記管理装置側操作部で選択された測定器に関連する前記測定器リソース情報一覧テーブルの最新の測定器リソース情報と、前記試験項目対応情報一覧テーブルに記憶された試験項目対応情報一覧とを照合して前記管理装置側操作部で選択された試験を実現するのに不足するリソースを検出し、該検出されたリソースに関連する試験用不足情報を前記試験用不足情報記憶手段から読み出し、前記リソースの不足が検出された測定器に対して該当する試験用不足情報を送信する管理装置側制御部４とを備えたことを特徴とする。
【００１０】
請求項２記載の測定器管理装置は、請求項１記載の測定器管理装置において、前記管理装置側操作部２は、所定の試験の実現に必要な試験手順を記述したシナリオ及び該シナリオの送信先となる測定器１０を選択可能とし、
また、前記管理装置側記憶部３は、前記管理装置側操作部で選択可能な試験の実現に必要な試験手順を記述したシナリオと、該シナリオを実行する際に選択的に用いられるパラメータとを少なくとも関連付けたシナリオ対応情報一覧を記憶するシナリオ対応情報一覧テーブル３ｃを更に有し、
前記試験項目対応情報一覧テーブル３ｂは、前記試験項目対応情報一覧の試験が該試験の実現に必要な試験手順を記述したシナリオとも関連付けて記憶されており、
前記管理装置側制御部４は、前記管理装置側操作部で選択されたシナリオ送信先の測定器に関連する前記測定器リソース情報一覧テーブル３ａの最新の測定器リソース情報と、前記試験項目対応情報一覧テーブルのうち前記管理装置側操作部で選択されたシナリオに関連する試験項目対応情報一覧と、前記シナリオ対応情報一覧テーブルのうち前記選択されたシナリオに関連するシナリオ対応情報一覧とを照合して該選択されたシナリオを実行するのに不足するリソースを検出するとともに、該選択されたシナリオが前記シナリオ送信先の測定器で実行可能か否かを判別し、実行可能と判別したときに該選択されたシナリオを前記シナリオ送信先の測定器に送信することを特徴とする。
【００１１】
請求項３記載の測定器管理装置は、請求項１又は２記載の測定器管理装置において、前記試験用不足情報を管理する管理サーバ２０とネットワーク接続され、
前記管理装置側制御部４は、前記管理サーバ上の前記試験用不足情報と前記管理装置側記憶部３に記憶された試験用不足情報とを比較し、前記管理装置側記憶部に記憶されていない前記試験用不足情報を前記管理サーバ上に検出した場合は、前記管理サーバから前記管理装置側記憶部に記憶されていない前記試験用不足情報をダウンロードして記憶することを特徴とする。
【００１２】
請求項４記載の測定器管理装置は、請求項３記載の測定器管理装置において、前記試験項目対応情報一覧を前記管理サーバ２０から取得することを特徴とする。
【００１３】
請求項５記載の測定器管理装置は、請求項１〜４の何れかに記載の測定器管理装置において、前記試験用不足情報は、前記測定器１０に実装可能なアプリケーションソウトウェア、ＯＳ、ＦＰＧＡ用データ、ファームウェア、シナリオのうち少なくとも１つを含むことを特徴とする。
【００１４】
請求項６記載の測定器管理装置は、請求項１〜５の何れかに記載の測定器管理装置において、前記測定器１０の試験機能を実現するために組み込まれたリソースは、ＦＰＧＡを搭載したハードウェアユニットを含み、前記試験用不足情報がＦＰＧＡ用データであることを特徴とする。
【００１５】
請求項７記載の測定器管理御装置は、請求項１〜６の何れかに記載の測定器管理装置において、前記管理装置側制御部４は、前記不足するリソースがハードウェアである場合に、不足するハードウェアのリソース種別情報及び該不足するハードウェアが余分に実装されている測定器１０に関する情報を管理装置側表示部５に表示制御することを特徴とする。
【００１６】
請求項８記載の測定器管理方法は、個々を特定可能な識別情報を有する複数の測定器１０が接続されたネットワークに接続され、被試験対象に対する試験を行うために前記複数の測定器個々に組み込まれたリソース種別情報とそのバージョン情報とを含む測定器リソース情報を管理する測定器管理方法であって、
前記測定器から前記ネットワークを介して取得する該測定器の識別情報と測定器リソース情報とに基づいて前記測定器個々の識別情報と測定器リソース情報とを関連付けた最新の測定器リソース情報一覧を測定器リソース情報一覧テーブルとして記憶するステップと、
選択可能な試験と該試験の実現に必要なリソース種別情報と該リソース種別情報ごとのバージョン情報とを関連付けた試験項目対応情報一覧を試験項目対応情報一覧テーブルとして記憶するステップと、
前記測定器が実装可能なリソースのうち前記ネットワークを介して電子情報として送信可能なリソースを少なくとも含む試験用不足情報を記憶するステップと、
選択される測定器に関連する前記測定器リソース情報一覧テーブルの最新の測定器リソース情報と、前記試験項目対応情報一覧テーブルの試験項目対応情報一覧とを照合して、選択される試験を実現するのに不足するリソースを検出するステップと、
前記検出されたリソースに関連する試験用不足情報を前記記憶された試験用不足情報から読み出し、前記リソースの不足が検出された測定器に対して該当する試験用不足情報を送信するステップとを含むことを特徴とする。
【発明の効果】
【００１７】
本発明に係る測定器管理装置によれば、、測定器を直接操作することなくネットワーク接続された全ての測定器に実装されたリソースに関する測定器リソース情報を一元管理して測定器個々の構成状況を把握することができる。
そして、測定器及び試験を選択するだけで、選択された試験を実現するのに不足するリソースを検出し、この検出したリソースのうちネットワークを介して電子情報として送信できるリソースに関連する試験用不足情報を該当する測定器に送信するので、選択された測定器が行う測定器リソース情報を簡便に整えることができる。
さらに、測定器にネットワークを介して電子情報として送信できないハードウェアなどのリソースが不足している場合は、不足するハードウェアの情報やバージョン情報及びこのハードウェアが余分に実装されている測定器の判別も行っているので、さらに測定器の管理を容易に行うことができる。
【発明を実施するための最良の形態】
【００１８】
以下、本発明の実施の形態を図面を参照しながら具体的に説明する。図１は本発明に係る測定器管理装置と該測定器管理装置と接続される測定器とのネットワーク関係及び測定器管理装置と管理サーバとの接続の一例を示す概要図であり、図２は本発明に係る測定器管理装置と該測定器管理装置とネットワーク接続される測定器における各構成を説明するための概略ブロック図であり、図３は本発明に係る測定器管理装置とネットワーク接続された測定器の測定器リソース情報一覧をテーブル化した測定器リソース情報一覧テーブルの一例を示す図であり、図４は図３の各行と対応して続く測定器リソース情報一覧テーブルを示す図、図５は本発明に係る測定器管理装置とネットワーク接続された測定器が行う試験と該試験を実現するのに必要なリソースに関する各種情報とが関連付けされた試験項目対応情報一覧をテーブル化した試験項目対応情報一覧テーブルの一例を示す図であり、図６は図５の各行と対応して続く試験項目対応情報一覧テーブルを示す図であり、図７は本発明に使用される測定器に配布するシナリオ名とそのシナリオを実行するのに必要なパラメータ及びシナリオで行う試験に必要なリソース以外のハードウェアに関する各種情報とが関連付けされたシナリオ対応情報一覧をテーブル化したシナリオ対応情報一覧テーブルの一例を示す図であり、図８は本例の測定器が行う試験項目を選択する際の表示例を示す説明図であり、図９は本発明に係る測定器管理装置の起動時の処理動作を説明するための動作フロー図であり、図１０は図９に示した起動時の処理動作における各部の命令／データ移動を説明するための概要図であり、図１１は本発明に係る測定器管理装置において選択された試験に測定器のリソースを合わせる処理動作を説明するための動作フロー図であり、図１２は図１１の選択された試験に測定器のリソースを合わせる処理動作における各部の命令／データ移動を説明するための概要図であり、図１３は本発明に係る測定器管理装置が測定器にシナリオ配布する処理動作を説明するための動作フロー図であり、図１４は図１３に示したシナリオ配布する処理動作における各部の命令／データ移動を説明するための概要図である。
【００１９】
図１に示すように、本例の測定器管理装置１は、例えば工場などに設置される複数台の測定器１０との間でEthernet（登録商標）などの通信ネットワークを構築し、このネットワークを介して測定器１０に実装された各種ソフトウェア，ハードウェアのファームウェア（ハードウェアの基本的な制御を行なうために機器に組み込まれたソフトウェア）やＦＰＧＡ（Field Programmable Gate Array ）用データ，シナリオ（測定器１０が所望の試験を行うための動作手順を記述したもの）などのリソース（測定器１０が行う試験内容に応じて各試験を行うために必要な各種ソフトウェア、ハードウェア、シナリオ、これらの組み合わせによる可変な構成要素）のバージョン情報（リソースの版数を示す情報）など、各測定器１０に実装されるリソースに関する測定器リソース情報の把握や、必要に応じて各測定器１０のリソースの変更可否などを行うことでネットワークに接続された全ての測定器１０を一元管理するものである。
なお、以下の説明では、図１に示すような同一工場内にある複数台の測定器１０（本例では１０台）のリソースを同一工場内に設置された測定器管理装置１で一元管理する例で説明するが、これに限定されることはなく、測定器管理装置１と測定器１０との間でネットワークが構築されていれば測定器管理装置１の設置場所と測定器１０の設置場所とが同一でなくてもよい。
【００２０】
次に、図２〜図８を参照しながら、本例の測定器管理装置１と、ネットワークを介して測定器管理装置１と接続される測定器１０の構成についてそれぞれ詳細に説明する。
【００２１】
まず、測定器管理装置１の構成について説明する。図２に示すように、測定器管理装置１は、管理装置側操作部２と、管理装置側記憶部３と、管理装置側制御部４と、管理装置側表示部５と、管理装置側データ通信部６とで構成される。
【００２２】
管理装置側操作部２は、例えば選択項目を選択するための上下／左右の移動、各種設定内容の選択／決定などの入力を行う操作キーで構成され、例えば装置筐体や管理装置側表示部５の表示画面上の所定位置などに設けられている。管理装置側操作部２は、例えば測定器１０が行う試験の選択、試験を行う測定器１０の選択／登録、選択した測定器１０に対して配布するシナリオの選択などを行うときに操作される。
【００２３】
管理装置側記憶部３は、例えば書き換え可能なＲＯＭやＲＡＭなどの半導体メモリやＨＤＤなどで構成され、測定器１０を管理するのに必要な各種情報や測定器管理装置１を駆動する際に必要な各種駆動プログラムなどが記憶されている。この管理装置側記憶部３は、図２に示すように、測定器リソース情報一覧テーブル３ａと、試験項目対応情報一覧テーブル３ｂと、シナリオ対応情報一覧テーブル３ｃと、試験用不足情報記憶手段３ｄとを備えている。
【００２４】
測定器リソース情報一覧テーブル３ａは、管理装置側制御部４の制御により、ネットワークを介して取得した測定器１０個々を特定するための識別情報と測定器１０に組み込まれたリソースのリソース種別情報やそのバージョン情報を含む測定器リソース情報とに基づいて、測定器１０個々の識別情報と測定器リソース情報とを関連付けした測定器１０ごとの測定器リソース情報一覧をテーブル化して記憶している。
【００２５】
具体的に測定器リソース情報一覧テーブル３ａには、例えば図３及び図４（図３の各行と対応して続く図）に示すように、例えばシリアルナンバーやＩＰアドレスなどの測定器１０個々を特定するための識別情報と、例えば実装されるＯＳの種類やバージョン，測定器１０のプラットフォーム（アプリケーションソフトを動作させるために基盤となるソフトウェア）に関するバージョン情報，通信方式に対応した試験用アプリケーションソフトウェアのバージョン情報，実装されたソフトウェアオプション，実装ユニット名と実装位置，ソフトウェアのライセンス期間，ハードウェアに関するバージョン情報（ユニットのハードウェアバージョン，ファームウェアやＦＰＧＡ用データなど），試験を実現するために実装されたシナリオが格納されたシナリオファイルのファイル名，各シナリオファイル内に格納されたシナリオを実行する際に使用する設定値などを含むパラメータが格納されたパラメータファイルのファイル名，測定器１０の設置場所情報などの測定器リソース情報とに基づいて、測定器１０個々の識別番号と測定器１０に実装された各リソースに関する測定器リソース情報とを関連付けた測定器リソース情報一覧をテーブル化して記憶している。
【００２６】
また、測定器リソース情報一覧テーブル３ａに記憶される測定器リソース情報は、管理装置側制御部４の制御により、例えば測定器管理装置１を起動したとき、試験を行う測定器１０を選択したとき、測定器１０が行う試験を選択したとき、ネットワーク接続された測定器１０に対して周期的にポーリングしたときなどに測定器１０から管理装置側データ通信部６を介して取得した測定器１０個々の測定器リソース情報を更新記憶することで最新の測定器リソース情報として記憶される。
【００２７】
試験項目対応情報一覧テーブル３ｂは、管理装置側制御部４の制御により、測定器１０が行う試験と、この試験を実現するのに必要なリソースのリソース種別情報とこのリソース種別情報ごとのバージョン情報とを関連付けた試験項目対応情報一覧をテーブル化して記憶している。
【００２８】
具体的に試験項目対応情報一覧テーブル３ｂには、図５及び図６（図５の各行と対応して続く図）に示すように、例えば測定器１０が行う試験の試験名、測定器１０が試験を実現するのに必要なＯＳの種類やバージョン，プラットフォームのソフトウェアに関するバージョン情報，試験を行う通信方式に必要な測定用アプリケーションソフトウェアのバージョン情報，必要なソフトウェアオプション，ソフトウェアのライセンス期間，試験に必要なハードウェアに関するバージョン情報（ユニットのハードウェアバージョン，ファームウェアやＦＰＧＡ用データ及び、送受信部の実装数とバージョンなど），後述するシナリオ対応情報一覧テーブル３ｃに記憶された試験を実現するのに必要なシナリオファイルを特定するシナリオ番号（図７の「Scenario No 」と対応する）などの、測定器１０が選択された試験を実現するのに必要なリソースのリソース種別情報及びリソース種別情報ごとのバージョン情報とを関連付けた試験項目対応情報一覧をテーブル化して記憶している。
なお、図５及び図６に示す試験項目対応情報一覧テーブル３ｂは、各試験（１０個の試験）が全てシナリオを必要とする場合として説明したが、シナリオを必要としない試験の場合は、その試験の一覧における「Scenario No 」の項目が空欄で表示される。
また、試験項目対応情報一覧テーブル３ｂに記憶された試験項目対応情報は、例えば測定器管理装置１に予め記憶される他、必要に応じてオペレータの所定操作によって手動で更新したり、管理装置側制御部４の制御により管理装置側データ通信部６を介してネットワーク接続された管理サーバ２０から周期的にポーリングして自動的に更新又は追加記憶している。
【００２９】
シナリオ対応情報一覧テーブル３ｃは、測定器１０が試験（管理装置側操作部２で選択可能な試験）を行うために必要とするシナリオと、このシナリオを実行する際に選択的に必要なパラメータやハードウェアなどの各種情報とを関連付けたシナリオ対応情報一覧をテーブル化して記憶している。
【００３０】
具体的にシナリオ対応情報一覧テーブル３ｃには、図７に示すように、試験項目対応情報一覧テーブル３ｂに記憶されたシナリオ番号（管理装置側操作部２で選択可能な試験である図５の「Test Name 」と関連付けられた図６の「Scenario No 」と対応する）と対応したシナリオ番号と、試験を実現するために必要なシナリオが格納されたシナリオファイルのファイル名と、各シナリオファイル内に格納されたシナリオを実行する際に選択的に必要な設定値などを含むパラメータが格納されたパラメータファイルのファイル名と、シナリオによる試験に必要なリソースとして管理されない外部接続装置などのハードウェア（例えばHandset など）に関する情報とを関連付けたシナリオ対応情報一覧をテーブル化して記憶している。
【００３１】
試験用不足情報記憶手段３ｄは、測定器１０が実装可能なリソースのうちネットワークを介して電子情報として送信可能なリソース（例えば試験用アプリケーションソフトウェア，ファームウェア，ＦＰＧＡ用データ，試験の実行に必要なシナリオなど）に関連する情報を試験用不足情報として記憶している。また、試験用不足情報記憶手段３ｄは、管理装置側制御部４の制御により、例えば管理サーバ２０に定期的に更新保存された最新の試験用不足情報と試験用不足情報記憶手段３ｄに記憶された試験用不足情報とを比較し、記憶されていない試験用不足情報が管理サーバ２０上に検出された場合は、管理装置側データ通信部６を介して管理サーバ２０からダウンロードして更新することで、測定器１０に対して電子情報として送信可能なリソースの必要な全バージョンを記憶している。
【００３２】
管理装置側制御部４は、例えばＣＰＵやＲＯＭ、ＲＡＭなどで構成されるマイクロコンピュータであり、管理装置側命令制御手段４ａと、管理装置側データ処理手段４ｂとを備えて構成される。管理装置側制御部４は、管理対象となる各測定器１０に対するデータ通信制御やデータ処理制御などの他、測定器管理装置１の駆動に関する各種制御を行っている。
【００３３】
管理装置側命令制御手段４ａは、測定器１０や管理装置側データ処理手段４ｂに対して各種制御命令を出力する。
【００３４】
管理装置側命令制御手段４ａが測定器１０に対して出力する命令としては、例えば管理対象となる測定器１０の現在の測定器リソース情報の更新を行うためのセルフチェック要求の送信命令、測定器１０に対する試験用不足情報をダウンロード／インストール開始するための実行許可命令、測定器１０に対する試験用不足情報のインストール命令、配布するシナリオの送信可否を問い合わせる命令などを行っている。
【００３５】
管理装置側命令制御手段４ａが管理装置側データ処理手段４ｂに対して出力する命令としては、測定器１０から取得した測定器リソース情報を測定器リソース情報一覧テーブル３ａに更新記憶させる命令、測定器１０から取得した最新の測定器リソース情報（管理装置側記憶部３に更新記憶された最新の測定器リソース情報一覧）と試験項目対応情報一覧，シナリオ対応情報一覧との照合を行う命令、この照合結果に基づく試験の実現可否の判別命令、前記照合結果に基づいて測定器１０が試験を実現するのに不足するリソースを検出する命令、この検出したリソースに関連する試験用不足情報を試験用不足情報記憶手段３ｄから読み出す命令、前記照合結果に基づいて測定器１０が試験を実現するのに不足しているリソースのうちハードウェアの種類やバージョン情報及びこのハードウェアが余分に実装されている測定器１０を検出する命令、前記照合結果に基づいて測定器１０が試験を実現するのに不足しているリソースのうちハードウェアの種類やバージョン情報及びこのハードウェアが余分に実装されている測定器１０に関する情報を管理装置側表示部５に表示するための表示命令、前記照合結果や測定器リソース情報の更新結果などを管理装置側表示部５に表示するための表示命令、不足するリソースが検出された測定器１０に前記試験用不足情報を送信する命令、前記照合結果に基づく配布するシナリオの実行可否の判別命令、前記照合結果に基づいて測定器１０がシナリオを実行するのに不足するリソースを検出する命令、前記照合結果に基づいて測定器１０がシナリオを実行するのに不足しているリソースのうちハードウェアの種類やバージョン情報及びこのハードウェアが余分に実装されている測定器１０を検出する命令、前記照合結果に基づいて測定器１０がシナリオを実行するのに不足しているリソースのうちハードウェアの種類やバージョン情報及びこのハードウェアが余分に実装されている測定器１０に関する情報を管理装置側表示部５に表示するための表示命令、配布するシナリオの実行可否の判別結果に基づいて配布するシナリオの送信準備を行う命令、配布するシナリオを送信する命令、前記照合結果やシナリオの送信結果などを管理装置側表示部５に表示するための表示命令、試験項目対応情報を管理する管理サーバ２０から試験項目対応情報を取得して試験項目対応情報一覧テーブル３ｂに記憶された試験項目対応情報一覧を最新の情報に更新するための更新命令、試験用不足情報を管理する管理サーバ２０上の試験用不足情報と試験用不足情報記憶手段３ｄに記憶された試験用不足情報との比較命令、管理サーバ２０から試験用不足情報一覧テーブル３ｄに記憶されていない試験用不足情報を取得して試験用不足情報一覧テーブル３ｄに記憶された試験用不足情報一覧を最新の情報に更新するための更新命令などを行っている。
図７には、シナリオのバージョン情報を表す記載がないが、シナリオファイル名のみでバージョンを特定することもできる。また、ファイル名の一部にバージョン情報を持たせることもできる。
【００３６】
管理装置側データ処理手段４ｂは、管理装置側命令制御手段４ａから出力された各種命令に基づく処理制御を行う。
【００３７】
管理装置側データ処理手段４ｂの処理内容としては、測定器１０から取得した測定器リソース情報を測定器リソース情報一覧テーブル３ａに更新記憶する制御、測定器１０から取得した最新の測定器リソース情報（管理装置側記憶部３に更新記憶された最新の測定器リソース情報一覧）と試験項目対応情報一覧，シナリオ対応情報一覧とを照合する制御、この照合結果に基づく試験の実現可否の判別制御、前記照合結果に基づいて測定器１０が試験を実現するのに不足するリソースを検出する制御、この検出したリソースに関連する試験用不足情報を試験用不足情報記憶手段３ｄから読み出す制御、前記照合結果に基づいて測定器１０が試験を実現するのに不足しているリソースのうちハードウェアの種類やバージョン情報及びこのハードウェアが余分に実装されている測定器１０を検出する制御、前記照合結果に基づいて測定器１０が試験を実現するのに不足しているリソースのうちハードウェアの種類やバージョン情報及びこのハードウェアが余分に実装されている測定器１０に関する情報を管理装置側表示部５に表示するための表示制御、前記照合結果や測定器リソース情報の更新結果などを管理装置側表示部５に表示するための表示制御、不足するリソースが検出された測定器１０に前記試験用不足情報を送信する制御、前記照合結果に基づく配布するシナリオの実行可否の判別制御、前記照合結果に基づいて測定器１０がシナリオを実行するのに不足するリソースを検出する制御、前記照合結果に基づいて測定器１０がシナリオを実行するのに不足しているリソースのうちハードウェアの種類やバージョン情報及びこのハードウェアが余分に実装されている測定器１０を検出する制御、前記照合結果に基づいて測定器１０がシナリオを実行するのに不足しているリソースのうちハードウェアの種類やバージョン情報及びこのハードウェアが余分に実装されている測定器１０に関する情報を管理装置側表示部５に表示するための表示制御、配布するシナリオの実行可否の判別結果に基づいて配布するシナリオの送信準備を行う制御、配布するシナリオを送信する制御、前記照合結果やシナリオの送信結果などを管理装置側表示部５に表示するための表示制御、試験項目対応情報を管理する管理サーバ２０から試験項目対応情報を取得して試験項目対応情報一覧テーブル３ｂに記憶された試験項目対応情報一覧を最新の情報に更新するための更新制御、試験用不足情報を管理する管理サーバ２０上の試験用不足情報と試験用不足情報記憶手段３ｄに記憶された試験用不足情報との比較制御、管理サーバ２０から試験用不足情報一覧テーブル３ｄに記憶されていない試験用不足情報を取得して試験用不足情報一覧テーブル３ｄに記憶された試験用不足情報一覧を最新の情報に更新するための更新制御など、管理装置側命令制御手段４ａからの命令に応じて測定器１０や測定器管理装置１を構成する各部に対する処理制御を行っている。
【００３８】
管理装置側表示部５は、例えば液晶ディスプレイなどの表示機器で構成される。管理装置側表示部５は、管理装置側制御部４の制御により、測定器管理装置１を駆動する際に必要な操作内容、又は測定器１０から取得した回答内容などの各種情報を表示している。具体的には、図３及び図４に示すような測定器リソース情報一覧テーブル３ａの内容表示、図５及び図６に示すような試験項目対応情報一覧テーブル３ｂの内容表示、図７に示すようなシナリオ対応情報一覧テーブル３ｃの内容表示、図８に示すような測定器１０が行う試験を選択するための試験項目選択内容を示す表示、シナリオを選択するためのシナリオ選択内容を示す表示、管理装置側データ処理手段４ｂで処理された各種処理結果（例えば照合結果の表示や測定器リソース情報の更新結果）の表示などを行っている。
【００３９】
管理装置側データ通信部６は、例えばEthernet（登録商標）などのネットワーク接続を行うための通信インターフェースで構成される。管理装置側データ通信部６は、ネットワークを介して接続される複数の測定器１０や管理サーバ２０とそれぞれ通信可能に接続され、管理装置側制御部４の制御により、管理サーバ２０との間で試験項目対応情報や試験用不足情報などの各種データ通信、測定器１０との間で測定器リソース情報や試験用不足情報などの各種データ通信や制御命令の送受信を行っている。
【００４０】
次に、測定器１０の構成について説明する。図２に示すように、測定器１０は、測定器側操作部１１と、測定器側制御部１２と、測定器側記憶部１３と、測定器側表示部１４と、測定器側データ通信部１５とを備えて構成され、測定器管理装置１の制御によって測定器１０個々の構成状況の管理が行われる。
なお、測定器１０には、これら構成の他に図示されていないソフトウェアやハードウェアが実装されていることは言うまでもない。
【００４１】
測定器側操作部１１は、例えば選択項目を選択するための上下／左右の移動、各種設定内容の選択／決定などの入力を行う操作キーで構成され、装置筐体や測定器側表示部１４の表示画面上の所定位置などに設けられている。測定器側操作部１１は、例えば所望の測定試験やその他機器に関する各種設定を行う際に操作される。
【００４２】
測定器側制御部１２は、例えばＣＰＵやＲＯＭ、ＲＡＭなどで構成されたマイクロコンピュータであり、測定器側命令制御手段１２ａと、測定器側データ処理手段１２ｂとを備えている。測定器側制御部１２は、測定器管理装置１から送信されるデータ通信命令やデータ処理命令などに基づく実行制御の他、測定器１０の各部の動作制御も行っている。
【００４３】
測定器側命令制御手段１２ａは、測定器管理装置１からのセルフチェック要求に基づいて測定器側記憶部１３に記憶された測定器リソース情報をチェックするためのセルフチェック実行／チェック内容の通知命令、セルフチェック時のチェック内容に基づく測定器リソース情報の更新命令、セルフチェックによって測定器側記憶部１３の更新された測定器リソース情報を測定器管理装置１に送信するための送信命令、測定器管理装置１からの各種要求に応じた自動回答の送信命令、測定器管理装置１からの試験用不足情報のダウロード／インストール命令、測定器管理装置１からのシナリオのダウンロード命令、各種データの送受信や各部の駆動制御に基づく内容を測定器側表示部１４に表示するための表示命令など、測定器管理装置１から取得した各種制御命令による実行制御や測定器１０を構成する各部の動作に必要な各種命令を行っている。
【００４４】
測定器側データ処理手段１２ｂは、例えば測定器側命令制御手段１２ａからの命令により測定器１０に実装されたリソースに基づく測定器リソース情報の更新制御、測定器側記憶部１３に記憶された測定器リソース情報のデータ内容更新完了通知及び更新された測定器リソース情報の送信制御、セルフチェック実行完了通知の送信制御、試験用不足情報やシナリオのインストール実行可否の回答の送信制御、測定器管理装置１からの試験用不足情報のダウンロード及びダウンロード完了通知の送信制御、測定器管理装置１からダウンロードした試験用不足情報のインストール及びインストール完了通知の送信、測定器管理装置１からのシナリオのダウンロード及びダウンロード完了通知の送信制御、測定器管理装置１からの各種要求に応じた自動回答の送信制御など、測定器側命令制御手段１２ａからの命令に応じて測定器１０を構成する各部に関する処理制御を行っている。
【００４５】
測定器側記憶部１３は、例えば書き換え可能なＲＯＭ（フラッシュＲＯＭなど）やＲＡＭなどの半導体メモリやＨＤＤなどで構成される。測定器側記憶部１３は、測定器側データ処理手段１２ｂの測定器リソース情報更新制御に基づき最新の構成状況に応じて更新された測定器１０の測定器リソース情報、測定器管理装置１からネットワークを介して取得した試験用不足情報の他、通信端末を試験する際に必要な実行プログラムなどが記憶されている。
【００４６】
測定器側表示部１４は、例えば液晶ディスプレイなどの表示機器で構成され、測定器側制御部１２の制御により、例えば測定器管理装置１との間で行われる各種データの送受信や各部の動作制御に基づく表示内容、測定器１０を使用する際に必要な操作内容などの各種情報を表示している。
【００４７】
測定器側データ通信部１５は、例えばEthernet（登録商標）などによりネットワーク接続を行うための通信インターフェースで構成される。測定器側データ通信部１５は、例えば工場内の設置された測定器管理装置１と通信可能に接続される。測定器側データ通信部１５は、管理装置側制御部４の制御により、測定器管理装置１との間で測定器１０の測定器リソース情報や試験用不足情報などの各種データ通信や制御命令の送受信を行っている。
【００４８】
次に、上述した測定器管理装置１の処理動作について説明する。ここでは、工場内にある複数の測定器１０と測定器管理装置１とがネットワーク接続され、オペレータの所望の測定器１０でＡ試験を行う場合を例に挙げ、測定器管理装置１と測定器１０との間における「起動時の処理動作」、「選択された試験に測定器１０のリソースを合わせる処理動作」、「シナリオ配布の処理動作」の動作についてそれぞれ具体的に説明する。
なお、以下の説明において、図９と図１０、図１１と図１２、図１３と図１４はそれぞれ対応しており、図９、図１１、図１３における各処理動作フローに付した符号は、各図に対応した図１０、図１２、図１４中の命令の伝送及びデータの伝送に付した符号に対応している。
【００４９】
まず、図９と図１０を参照しながら、測定器管理装置１と測定器１０との間における「起動時の処理動作」について説明する。
【００５０】
オペレータの所定操作により、まず測定器管理装置１を起動させ（ＢＨ１）、管理装置側操作部２を所定操作して工場内に設置された複数台ある測定器１０のうち所望の測定器１０を登録する（ＢＨ２）。次に、測定器管理装置１は、登録した測定器１０の現在の構成状況を把握するため、登録した測定器１０に対して測定器リソース情報の更新要求を行う（ＢＨ３）。
【００５１】
測定器１０は、測定器管理装置１から測定器リソース情報の更新要求を受けると、測定器１０に現在組み込まれたリソースを確認するためセルフチェックを行う（ＢＣ１）。そして、測定器１０は、セルフチェックによって測定器側記憶部１３に記憶された測定器リソース情報を最新の情報に更新するとともに、測定器管理装置１に対して更新した最新の測定器リソース情報とデータ内容更新完了通知とを出力する（ＢＣ２）。
【００５２】
そして、測定器管理装置１は、測定器１０から測定器リソース情報を取得すると（ＢＨ４）、この取得した測定器リソース情報と測定器リソース情報一覧テーブル３ａに記憶された測定器リソース情報との照合を行う（ＢＨ５）。
【００５３】
照合した後、測定器管理装置１は、測定器１０から取得した測定器リソース情報に基づき、新規登録された測定器１０の測定器リソース情報に関しては測定器１０の識別情報と、組み込まれたリソースに関する測定器リソース情報とを関連付けして新たに測定器リソース情報一覧として追加保存する。また、以前に登録されている測定器１０の測定器リソース情報に関しては、全てを更新、又は変更・追加箇所についてのみ更新して保存する（ＢＨ６）。そして、測定器管理装置１は、管理装置側表示部５に照合結果を表示する（ＢＨ７）。ＢＨ２の測定器１０の登録の有無に関わらず、ＢＨ３でネットワークに接続された測定器１０全台に対して測定器リソース情報の更新要求を行う動作としても良い。
なお、以下の説明では、図９に示す一点鎖線部分の処理、すなわち測定器管理装置１におけるＢＨ３〜ＢＨ６までの動作と測定器１０におけるＢＣ１，ＢＣ２の動作からなる一連の処理を「測定器リソース情報更新処理」とする。
【００５４】
次に、図１１と図１２を参照しながら、測定器管理装置１と測定器１０との間における「選択された試験に測定器１０のリソースを合わせる処理動作」について説明する。
【００５５】
選択されたＡ試験に測定器１０のリソースを合わせる場合は、まず管理装置側操作部２を所定操作してオペレータが所望の試験であるＡ試験を選択するとともに、管理対象となる測定器１０（選択したＡ試験を行う測定器１０）を選択する（ＶＨ１）。次に、測定器管理装置１は、選択した測定器１０個々のリソースの状況を把握するため、上述した「測定器リソース情報更新処理」を行い、選択した測定器１０の測定器リソース情報の更新処理を行う（ＶＨ２）。
なお、以下の説明では、測定器管理装置１が１台の測定器１０を選択した例で説明するが、複数の測定器１０が選択された場合であっても、測定器管理装置１と測定器１０個々の動作は同様であり、並列若しくは直列的に処理を行う。
【００５６】
そして、測定器管理装置１は、選択した測定器１０の測定器リソース情報から管理装置側記憶部３に記憶された測定器リソース情報一覧を最新の情報に更新する。そして、管理装置側記憶部３に記憶された測定器リソース情報一覧と、試験項目対応情報一覧，シナリオ対応情報一覧とを照合して管理対象となる測定器１０が選択したＡ試験が実現可能か否かを判別し、Ａ試験が実現不可の場合は、測定器１０がＡ試験を実現するために不足しているリソースを検出する（ＶＨ３）。
また、測定器管理装置１は、これと同時に測定器１０がＡ試験を実現するのに不足しているリソースがハードウェアの場合は、このハードウェアの種類やバージョン情報及びこのハードウェアが余分に実装されている測定器１０の判別も行っている。当該ハードウェアが余分に実装されている測定器１０の判別に際して、必要に応じてネットワーク上の測定器１０全台に対して測定器リソース情報更新処理を実行するようにすれば、最新の情報で判断が可能となる。
【００５７】
そして、測定器管理装置１は、選択した測定器１０がＡ試験を実現するにあたり、検出した不足リソースのうち電子情報である試験用不足情報の送信のみで実現可能か否かの照合結果（「ＯＫ」又は「ＮＧ」）を管理装置側表示部５に表示する（ＶＨ４）。「ＯＫ」の場合は、「ＯＫ」キーとともに電子情報として送信可能なリソースの具体的内容が表示される。この具体的内容としては、例えば測定器１０として図３に示すシリアル番号「６２０００００００１」の測定器１０、試験として図５に示す「EGPRS Packet Test 」を選択した場合、図３及び図４の測定器リソース情報一覧テーブル３ａのシリアル番号「６２０００００００１」の測定器リソース情報と、図５及び図６の試験項目対応情報一覧テーブル３ｂのテスト名「EGPRS Packet Test 」の試験項目対応情報一覧との照合によって、「６２００００００１」には「EGPRS Packet Test 」を実現するのに必要なソフトウェアである「W -CDMA/GSM 」のバージョン５．００が実装されていないため、「ソフトウェアである「W -CDMA/GSM 」のバージョン５．００が不足しています」などが表示される。    また、電子情報として送信可能なリソースとしてシナリオが不足している場合は、例えば測定器１０として図３に示すシリアル番号「６２０００００００３」の測定器１０、試験として図５に示す「W -CDMA Voice Test」を選択した場合、図３及び図４の測定器リソース情報一覧テーブル３ａのシリアル番号「６２０００００００３」の測定器リソース情報と、図５及び図６の試験項目対応情報一覧テーブル３ｂのテスト名「W -CDMA Voice Test」の試験項目対応情報一覧との照合によって、「６２００００００３」には「W -CDMA Voice Test」を実現するのに必要なシナリオである「W01 ＿Voice.c 」が実装されていないため、「シナリオである「W01 ＿Voice.c 」が不足しています」などが表示される。
一方、「ＮＧ」の場合は、電子情報である試験用不足情報だけでは試験が実現できない（ハードウェアが不足している）ので、具体的指示が表示され、処理が終了する。この具体的指示としては、例えば測定器１０として図３に示すシリアル番号「６２００００００１０」の測定器１０、試験として図５に示す「W -CDMA Voice Test」を選択した場合、図３及び図４の測定器リソース情報一覧テーブル３ａにのシリアル番号「６２００００００１０」の測定器リソース情報一覧と、図５及び図６の試験項目対応情報一覧テーブル３ｂのテスト名「W -CDMA Voice Test」の試験項目対応情報一覧との照合によって、「６２００００００１０」には「W -CDMA Voice Test」の実現に必要なハードウェアである「W -CDMA Unit」が実装されていないため、「ハードウェアである「W -CDMA Unit」が実装されていません。」などが表示される。また、このとき不足しているハードウェアが余分に実装されている測定器１０が存在する場合は、それに関する情報も表示される。
【００５８】
そして、測定器管理装置１は、対象となる測定器１０が電子情報として送信可能なリソースのみ不足していると判断すると、測定器１０に対して不足するリソースに関する試験用不足情報のダウンロード／インストール実行許可命令を送信する（ＶＨ５）。測定器１０は、受信した試験用不足情報のダウンロード／インストール実行許可命令を受信すると、現在の機器状態（例えば対象となる測定器１０がアイドリング中の場合や使用中の場合）に応じてこの受信した実行命令に対して自動回答（例えばアイドリング中の場合は「ＯＫ」、使用中の場合は「ＮＧ」）する（ＶＣ１）。
【００５９】
測定器管理装置１は、測定器１０からの回答に応じた処理を行う（ＶＨ６）。このとき、測定器１０からの回答が「ＯＫ」の場合は、次に測定器１０に対して不足するリソースに関する試験用不足情報を送信する（ＶＨ７）。一方、「ＮＧ」の場合は、処理を終了する。所定時間内に無応答の場合は、測定器１０の電源がＯＦＦ又はネットワークに接続されていないとして、「ＮＧ」の場合と同様に処理を終了する。このとき、電源の状態や接続を処理する旨のメッセージを表示してもよい。
そして、測定器１０は、測定器管理装置１から取得した試験用不足情報をダウンロードし、ダウンロードが完了すると、ダウンロードが完了したことを示すダウンロード完了通知を測定器管理装置１に送信する（ＶＣ２）。
【００６０】
次に、測定器管理装置１は、測定器１０からダウロード完了通知を受信すると、測定器１０がＶＣ２でダウンロードした試験用不足情報をインストールするインストール命令を送信する（ＶＨ８）。測定器１０は、測定器管理装置１から取得した試験用不足情報をインストールし、インストールが完了すると、インストールが完了したことを示すインストール完了通知を測定器管理装置１に送信する（ＶＣ３）。
なお、測定器１０は、試験用不足情報のインストールを行う際に、必要があれば現在記憶しているソフトウェアをアンインストールする。
【００６１】
測定器管理装置１は、測定器１０からインストール完了通知を受信すると、測定器１０の現在の構成状況のセルフチェックを実行させるためのセルフチェック命令を送信する（ＶＨ９）。測定器１０は、測定器管理装置１から取得したセルフチェック命令に従って現在の構成状況をセルフチェックする。そして、測定器１０は、セルフチェックが完了すると、これによって更新された測定器リソース情報とセルフチェックが完了したことを示すセルフチェック完了通知を測定器管理装置１に送信する（ＶＣ４）。
なお、測定器１０は、測定器管理装置１に送信した最新の測定器リソース情報を基に、測定器側記憶部１３に記憶された測定器リソース情報を更新記憶する。
【００６２】
そして、測定器管理装置１は、測定器１０から更新された最新の測定器リソース情報を受信し（ＶＨ１０）、この受信した測定器リソース情報に基づき測定器リソース情報一覧テーブル３ａに記憶された測定器リソース情報一覧を更新した後（ＶＨ１１）、この更新結果（「ＯＫ」又は「ＮＧ」）を管理装置側表示部５に表示する（ＶＨ１２）。
【００６３】
また、ＶＨ１２において、測定器１０に正常にインストールされてない場合など何らかの異常があって正常に測定器１０のリソースが適切になっていない場合は「ＮＧ」と表示され、再度試験用不足情報をダウンロード／インストールするためＶＨ７へ戻る。
【００６４】
なお、上述した処理動作では、選択された測定器１０の測定器リソース情報と、管理装置側記憶部３に記憶された試験項目対応情報一覧，シナリオ対応情報一覧とを照合する際に測定器リソース情報が最新の情報に更新されていればよいので、例えば先に測定器１０の測定器リソース情報更新処理（ＶＨ２）を行った後、測定器１０や試験の選択（ＶＨ１）を行ってもよい。
【００６５】
次に、図１３と図１４を参照しながら、測定器管理装置１と測定器１０との間における「シナリオ配布の処理動作」について説明する。
【００６６】
測定器１０にＡ試験（シナリオを必要とする試験）を行うためのシナリオを配布する場合は、まずオペレータが管理装置側操作部２を所定操作して、シナリオを配布する測定器１０を選択する（ＳＨ１）。次に、測定器管理装置１は、測定器１０個々のリソースの状況を把握するため、上述した「測定器リソース情報更新処理」を行い、選択した測定器１０の測定器リソース情報の更新処理を行う（ＳＨ２）。測定器リソース情報の更新が終わると、管理装置側操作部２を所定操作して、選択した測定器１０に配布するシナリオを選択する（ＳＨ３）。
なお、以下の説明では、測定器管理装置１が１台の測定器１０にシナリオを配布する例で説明するが、複数の測定器１０が選択された場合であっても、測定器管理装置１と測定器１０個々の動作は同様であり、並列若しくは直列的に処理を行う。
【００６７】
そして、配布対象となる測定器１０の最新の測定器リソース情報と、試験項目対応情報一覧テーブル３ｂのうち選択されたシナリオに関連する試験項目対応情報一覧，シナリオ対応情報一覧テーブル３ｃのうち選択されたシナリオに関連するシナリオ対応情報一覧とを照合し、配布するシナリオが配布対象となる測定器１０において実行可能か否かを判別する（ＳＨ４）。
【００６８】
ＳＨ４で照合した照合結果（「ＯＫ」又は「ＮＧ」）を管理装置側表示部５に表示する（ＳＨ５）。なお、シナリオが実行できるリソースが揃っていないと判別された場合（「ＮＧ」の場合）は、具体的指示が表示され、処理が終了する。この具体的指示としては、例えば測定器１０として図３に示すシリアル番号「６２０００００００１」の測定器１０、配布するとして図７に示す「C01 ＿Voice.c 」を選択した場合、図３及び図４の測定器リソース情報一覧テーブル３ａのシリアル番号「６２０００００００１」の測定器リソース情報一覧と、図５及び図６の試験項目対応情報一覧テーブル３ｂのシナリオ番号「９」の測定器リソース情報一覧と、図７のシナリオ対応情報一覧テーブル３ｃのシナリオファイル名「C01 ＿Voice.c 」のシナリオ対応情報一覧との照合によって、「６２０００００００１」には「C01 ＿Voice.c 」の実行に必要なリソースであるハードウェア及びソフトウェアのうち不足する物について表示を行う。
また、このとき不足しているリソースのうちハードウェアが余分に実装されている測定器１０が存在する場合は、それに関する情報も表示される。
【００６９】
測定器管理装置１は、配布対象となる測定器１０でシナリオが実行可能であると確認すると、配布するシナリオの送信準備を行い（ＳＨ６）、測定器１０に対してシナリオ送信可能か否かの問い合わせを行う（ＳＨ７）。測定器１０は、測定器管理装置１からシナリオ送信可否の問い合わせを受信すると、現在の機器状態（例えば対象となる測定器１０がアイドリング中の場合や使用中の場合）に応じて測定器管理装置１からの問い合わせに対して自動回答（「ＯＫ」又は「ＮＧ」）する（ＳＣ１）。
【００７０】
そして、測定器管理装置１は、測定器１０からの回答に応じた処理を行う（ＳＨ８）。このとき、測定器１０からの回答が「ＯＫ」のときは、次に測定器１０に対してシナリオを送信する（ＳＨ９）。一方、「ＮＧ」の場合は、処理を終了する。
なお、このとき無応答の場合は、前述の「選択された試験に測定器１０のリソースを合わせる処理動作」でのＶＨ７の無応答時の処理と同様の処理を行う。
【００７１】
測定器１０は、測定器管理装置１から取得したシナリオをダウンロードし、ダウンロードが完了すると、完了したことを示すダウンロード完了通知を測定器管理装置１に送信するとともに、ダウンロード結果を測定器側表示部１４に表示する（ＳＣ２）。測定器管理装置１は、測定器１０からダウンロード完了通知を受信すると、測定器１０に対するシナリオの送信結果の表示を行う（ＳＨ１０）。また、リソースとは異なる、実際の試験に必要な装置など（例えば外付けの機器など）も併せて表示することもできる。例えば、「選択した試験を行うには、「Handset 」の準備も必要となります。」などが表示される。この表示は、シナリオ対応情報一覧デーブルの「Hardware Requirement」欄の情報から表示すればよい。
なお、ＳＨ９において、送信するシナリオは、例えば測定器１０にシナリオを実行ファイルに変換するシナリオ変換ソフトなどがインストールされている場合はコンパイルせずにそのままの状態で送信し、このようなシナリオ変換機能が無い測定器１０に対しては測定器１０で実行可能なファイル形式（例えばｄｌｌ形式など）に変換して送信することもできる。
【００７２】
このように、本例の測定器管理装置１によれば、ネットワーク接続された複数の測定器１０から測定器リソース情報を取得し、取得した測定器リソース情報を測定器１０個々の識別情報と測定器リソース情報とを関連付けて測定器リソース情報一覧として記憶する。そして、所望の試験を測定器１０で行う場合に、試験とこの試験を行う測定器１０とを選択し、この選択した測定器１０それぞれから取得した最新の測定器リソース情報に基づく測定器リソース情報一覧と、測定器１０が行う試験とこの試験を実現するのに必要なリソース種別情報とこのリソース種別情報ごとのバージョン情報とを関連付けた試験項目対応情報一覧とを照合判別し、照合した結果、選択された試験を実現するのに必要なリソースのうちネットワークを介して電子情報として送信可能なリソースが不足していることが検出されると、検出された測定器１０に対して不足リソースに関連する試験用不足情報を該当する測定器１０にダウンロード／インストールし、選択された測定器１０が行う試験に合わせてリソースを整えている。
従って、測定器１０を直接操作せず１台の測定器管理装置１を操作するだけで、この測定器管理装置１にネットワーク接続された全ての測定器１０のリソースを一元管理することができる。このため、オペレータは、全ての測定器１０個々の構成状況を把握する必要がなく、ネットワーク接続された各測定器１０が行う試験に合わせて測定器１０個々のリソースを簡便に整えることができる。
また、測定器管理装置１と測定器１０との間のネットワークが外部ネットワークを介在することなく直接専用線などで接続又はＶＰＮ（Virtual Private Network ）などで接続してもよい。この場合、測定器１０個々の測定器リソース情報や試験内容などの情報が外部に漏洩する心配がなく、測定器管理に関するセキュリティを保つことができる。
【００７３】
さらに、測定器１０が試験の実現や配布したシナリオを実行できない要因としてハードウェアなどのネットワークを介して電子情報として送信できないリソースが不足している場合は、不足するハードウェアの情報やバージョン情報及びこのハードウェアが余分に実装されている測定器１０の判別や結果表示も行っているので、さらに測定器１０の管理を容易に行うことができる。
【００７４】
ところで、上述した形態では、本例の測定器管理装置１を工場に設置し、同一工場内の複数の測定器１０を一元管理する例で説明したが、これに限定されることはない。例えば本例の測定器管理装置１を本社に設置し、遠隔地にある複数の工場にそれぞれ複数配置された測定器１０との間でそれぞれネットワーク接続することで、上述した形態と同様、各地に設置された複数の測定器１０のリソースを容易に一元管理することができる。
【００７５】
また、上述した形態において、測定器リソース情報更新時に、測定器リソース情報一覧テーブル３ａに測定器リソース情報一覧が記憶された測定器１０のうち、測定器リソース情報を得られない測定器１０（例えば測定器１０の電源がＯＦＦの場合やネットワークから外された場合）がある場合は、その測定器リソース情報一覧を測定器リソース情報一覧テーブル３ａから削除したり、今までに管理下にあった測定器１０の状況を明確にするためそのまま残しておくようにしてもよい。そして、測定器リソース情報をそのままの残す場合は、測定器リソース情報が得られなかった測定器１０の測定器リソース情報一覧にフラグ（不図示）を設け、測定器管理装置１で測定器１０の測定器リソース情報一覧テーブル３ａを表示する際に識別可能にすることで、本来存在すべき測定器１０が無いなどの不慮の状況を即座に把握することができる。
【００７６】
さらに、上述した形態において、測定器１０にスレーブモード（従動モード）を選択可能とした構成を追加することもできる。このような構成にすることで、知識のないオペレータが間違った操作をしたことによる不慮のデータ書き込みや電子情報として通信可能なリソースの情報変更などを防止する効果を奏する。
【００７７】
以上、本願発明における最良の形態について説明したが、この形態による記述及び図面により本発明が限定されることはない。すなわち、この形態に基づいて当業者などによりなされる他の形態、実施例及び運用技術などはすべて本発明の範疇に含まれることは勿論である。
【図面の簡単な説明】
【００７８】
【図１】本発明に係る測定器管理装置と該測定管理装置と接続される測定器とのネットワーク関係及び測定器管理装置と管理サーバとの接続の一例を示す概要図である。
【図２】本発明に係る測定器管理装置と該測定器管理装置とネットワーク接続される測定器における各構成を説明するための概略ブロック図である。
【図３】本発明に係る測定器管理装置とネットワーク接続された測定器の測定器リソース情報一覧をテーブル化した測定器リソース情報一覧テーブルの一例を示す図である。
【図４】図３の各行と対応して続く測定器リソース情報一覧テーブルを示す図である。
【図５】本発明に係る測定器管理装置とネットワーク接続された測定器が行う試験項目と該試験を実現するのに必要なリソースに関する各種情報とが関連付けされた試験項目対応情報一覧をテーブル化した試験項目対応情報一覧テーブルの一例を示す図である。
【図６】図５の各行と対応して続く試験項目対応情報一覧テーブルを示す図である。
【図７】本発明に使用される測定器に配布するシナリオ名とそのシナリオを実行するのに必要なパラメータ及びシナリオで行う試験に必要なリソース以外のハードウェアに関する各種情報とが関連付けされたシナリオ対応情報一覧をテーブル化したシナリオ対応情報一覧テーブルの一例を示す図である。
【図８】本例の測定器が行う試験項目を選択した際の表示例を示す説明図である。
【図９】本発明に係る測定器管理装置の起動時の処理動作を説明するための動作フロー図である。
【図１０】図９に示した起動時の処理動作における各部の命令／データ移動を説明するための概要図である。
【図１１】本発明に係る測定器管理装置において選択された試験に測定器のリソースを合わせる処理動作を説明するための動作フロー図である。
【図１２】図１１の選択された試験に測定器のリソースを合わせる処理動作における各部の命令／データ移動を説明するための概要図である。
【図１３】本発明に係る測定器管理装置が測定器にシナリオ配布する処理動作を説明するための動作フロー図である。
【図１４】図１３に示したシナリオ配布する処理動作における各部の命令／データ移動を説明するための概要図である。
【符号の説明】
【００７９】
１  測定器管理装置
２  管理装置側操作部
３  管理装置側記憶部
３ａ  測定器リソース情報一覧テーブル
３ｂ  試験項目対応情報一覧テーブル
３ｃ  シナリオ対応情報一覧テーブル
３ｄ  試験用不足情報記憶手段
４  管理装置側制御部
４ａ  管理装置側命令制御手段
４ｂ  管理装置側データ処理手段
５  管理装置側表示部  
６  管理装置側データ通信部
１０  測定器
１１  測定器側操作部
１２  測定器側制御部
１２ａ  測定器側命令制御手段
１２ｂ  測定器側データ処理手段
１３  測定器側記憶部
１４  測定器側表示部
１５  測定器側データ通信部
【図１】
2008160431.tif 000003
【図２】
2008160431.tif 000004
【図３】
2008160431.tif 000005
【図４】
2008160431.tif 000006
【図５】
2008160431.tif 000007
【図６】
2008160431.tif 000008
【図７】
2008160431.tif 000009
【図８】
2008160431.tif 000010
【図９】
2008160431.tif 000011
【図１０】
2008160431.tif 000012
【図１１】
2008160431.tif 000013
【図１２】
2008160431.tif 000014
【図１３】
2008160431.tif 000015
【図１４】
2008160431.tif 000016